(57)【特許請求の範囲】
【請求項１】
コンセント本体の正面側に開放する開口内に一対の接続筒が奥まって収容されている壁面設置式の液体コンセントと、前記接続筒に着脱自在に接続されて循環流路を構成する一対のプラグ筒を備えたプラグ体とからなり、
前記接続筒内に、コンセント弁と、前記コンセント弁を閉弁方向に付勢するコンセントばねが収容され、
前記プラグ筒内に、プラグ弁と、前記プラグ弁を閉弁方向に付勢するプラグばねが収容され、
前記プラグ筒の開放端近傍の外周に前記接続筒との接続部を水密状態に保持する環状のシール部材が外嵌する流路接続装置において、
前記開口の開放端に、弾性材料製の膜体が張設され、
前記膜体は、前記コンセント本体の正面側端面と同形同大に形成されると共に、前記コンセント本体の正面側端面に添設され、
前記膜体の正面側には、前記膜体と同形同大で且つ前記プラグ筒が挿通可能な貫通孔が前記開口と同心状に形成された取付板が添設され、
前記膜体は前記コンセント本体の正面側端面に、前記取付板によってネジ止めにより取り付けられ、
前記膜体に、前記プラグ筒の胴部の径に応じて拡縮しながら前記プラグ筒を挿通可能とする切口部が形成され、
前記切口部の中心は前記開口及び前記接続筒の中心に一致しており、
前記接続筒の開放端と前記膜体との間のコンセント本体の開口に、通気口および循環水の排水口を外部に連通するように設けた流路接続装置。
【請求項２】
請求項１に記載の流路接続装置において、前記切口部は、前記プラグ筒の胴部の外径よりも小径な貫通孔である流路接続装置。
【請求項３】
請求項１に記載の流路接続装置において、前記切口部は、前記プラグ筒の外径に略一致する長さのスリットである流路接続装置。
【請求項４】
請求項１から３のいずれかに記載の流路接続装置において、閉弁状態にある前記プラグ弁の先端面は、前記プラグ筒の開放端面と同一面に位置するように設定されている流路接続装置。
【請求項５】
請求項１から４のいずれかに記載の流路接続装置において、前記膜体は、前記開放端に取り外し自在に装着されている流路接続装置。
【発明の詳細な説明】
【技術分野】
【０００１】
本発明は、流路接続装置、特に、接続筒を有する液体コンセントと、前記接続筒に着脱自在に接続されるプラグ筒を有するプラグ体とからなる流路接続装置に関する。
【背景技術】
【０００２】
図８は、一般的な液体コンセント(50)の正面図と、それに接続させるプラグ体(5)の一部切欠斜視図を示している。液体コンセント(50)は壁面(W)等に設置されており、化粧プレート(59)の正面には横長長円形のガイド筒部(57)が開放しており、このガイド筒部(57)内に、一対の開口(58a)(58b)を有する横長長円形状のコンセント本体(58)が収容されている。これら開口(58a)(58b)内に、温水循環路接続の為の接続筒(50a)(50b)が奥まった状態で設置されている。
【０００３】
プラグ体(5)は、ガイド筒部(57)とコンセント本体(58)との間に挿入可能な大きさ形状の包囲筒(56)がケーシング本体(53)から突出していると共に、包囲筒(56)内に、接続筒(50a)(50b)に着脱自在に接続する一対のプラグ筒(5a)(5b)が備えられている。接続筒(50a)(50b)及びプラグ筒(5a)(5b)内にはそれぞれの流路を開閉する弁体(51)(52)が閉弁状態に付勢された状態で収容されており、プラグ筒(5a)(5b)の外周には、接続筒(50a)(50b)に水密状態に接続させるためのＯリング(55)(55)が各々外嵌されている。
【０００４】
ガイド筒部(57)内に包囲筒(56)を挿入して、プラグ筒(5a)(5b)を接続筒(50a)(50b)内に押し込むと、相互の弁体(51)(52)が開弁する前の接続初期段階で、Ｏリング(55)が接続筒(50a)(50b)内に入り込んで、プラグ筒(5a)(5b)と接続筒(50a)(50b)との接続部内は水密状態に保持される。その後、プラグ体(5)をさらに押し込んで、プラグ筒(5a)(5b)を接続完了状態とすると、プラグ筒(5a)(5b)及び接続筒(50a)(50b)内の弁体(51)(52)が各々の付勢力に抗して開弁し、プラグ体(5)と液体コンセント(50)を介して、加熱機と放熱機との間を流体が循環する。
【０００５】
このように、従来のものでは、プラグ筒(5a)(5b)及び接続筒(50a)(50b)内の両弁体(51)(52)が開弁する前のプラグ体(5)の接続初期段階から開弁状態となる接続完了状態まで、または、接続完了状態からプラグ体(5)が引き抜かれるまで、一定長さのストロークが生じている。このため、接続完了状態にあるプラグ体(5)を取り外す際に、プラグ体(5)はＯリング(55)の接続筒(50a)(50b)の内周面に対する摩擦力よりも強い力で強制的に引っ張られて、プラグ体(5)が勢いよく引き抜かれることがある。
【０００６】
このようなプラグ体(5)の引き抜き途中、プラグ筒(5a)(5b)と接続筒(50a)(50b)の両弁体(51)(52)が閉弁した後であって、且つ、Ｏリング(55)がまだ接続筒(50a)(50a)内に位置する状態において、閉弁状態にある両弁体(51)(52)の先端相互間に、循環水の一部が残存する空間が形成される。その状態から、プラグ体(5)をさらに引き抜き方向に移動させると、Ｏリング(55)によって一時的に前記空間は負圧状態となり、プラグ体(5)を液体コンセント(50)から勢いよく引き抜くと、前記負圧状態が急激に解消されるため、前記空間に残存する循環水が外へ飛散し、室内を汚してしまうといった問題がある。
【０００７】
プラグ体(5)の引き抜き時の循環水の飛散を防止するものとして、特許第３０５２０３３号公報（特許文献１）に開示のものを発明した。
このものは、接続筒(50a)(50b)の開放端面に凹み部(54)(54)を設け、この凹み部(54)(54)を介して前記空間を外部と連通させることにより、上記負圧状態を解除する構成である。
【先行技術文献】
【特許文献】
【０００８】
【特許文献１】実用新案登録第３０５２０３３号公報
【発明の概要】
【発明が解決しようとする課題】
【０００９】
しかしながら、このものは、プラグ体(5)を液体コンセント(50)からゆっくり引き抜いたときにその効果を発揮するため、プラグ体(5)を勢い良く素早く引き抜いてしまっては、その効果を得るのが難しい。
【００１０】
本発明は、『コンセント本体の正面側に開放する開口内に一対の接続筒が奥まって収容されている壁面設置式の液体コンセントと、前記接続筒に着脱自在に接続されて循環流路を構成する一対のプラグ筒を備えたプラグ体とからなり、
前記接続筒内に、コンセント弁と、前記コンセント弁を閉弁方向に付勢するコンセントばねが収容され、
前記プラグ筒内に、プラグ弁と、前記プラグ弁を閉弁方向に付勢するプラグばねが収容され、
前記プラグ筒の開放端近傍の外周に前記接続筒との接続部を水密状態に保持する環状のシール部材が外嵌する流路接続装置』において、プラグ体を液体コンセントから勢いよく引き抜いてしまうことにより、引き抜き速度が速くなっても、閉弁されたプラグ弁とコンセント弁の先端相互間に位置する空間に残留する循環水が室内へ飛散するのを防止することを課題とする。
【課題を解決するための手段】
【００１１】
本発明に係る流路接続装置は、『前記開口の開放端に、弾性材料製の膜体が張設され、
前記膜体は、前記コンセント本体の正面側端面と同形同大に形成されると共に、前記コンセント本体の正面側端面に添設され、
前記膜体の正面側には、前記膜体と同形同大で且つ前記プラグ筒が挿通可能な貫通孔が前記開口と同心状に形成された取付板が添設され、
前記膜体は前記コンセント本体の正面側端面に、前記取付板によってネジ止めにより取り付けられ、
前記膜体に、前記プラグ筒の胴部の径に応じて拡縮しながら前記プラグ筒を挿通可能とする切口部が形成され、
前記切口部の中心は前記開口及び前記接続筒の中心に一致しており、
前記接続筒の開放端と前記膜体との間のコンセント本体の開口に、通気口および循環水の排水口を外部に連通するように設けた』ことを特徴とするものである。
【００１２】
膜体は、前記コンセント本体の正面側端面と同形同大に形成された弾性材料からなり、前記コンセント本体の正面側端面に添設されると共に、前記膜体と同形同大の取付板によって、前記コンセント本体の正面側端面にネジ止めにより取り付けられる。
開口の開放端、すなわち、コンセント本体の正面に、膜体に設けた切口部の中心が開口の中心及びその内方に収容されている接続筒の中心と一致するように張設されている。    従って、膜体の切口部に向かってプラグ筒を差し込むと、プラグ筒は接続筒の中心に差し込まれることとなる。このとき、プラグ筒の先端部や胴部の外径に応じて膜体の切口部が弾性的に拡大すると共に、切口部の構成端辺は、その弾性力によりプラグ筒の胴部に密着しながら接続方向に撓むように弾性変形する。
さらに、プラグ筒を接続完了状態まで接続筒内に押し込むと、プラグ弁及びコンセント弁が互いにプラグばね及びコンセントばねの付勢力に抗して開弁し、プラグ体の液体コンセントへの接続が完了する。なお、この状態にて、プラグ体と液体コンセントは別途設けられている係合ロック機構によって接続状態が維持される。
【００１３】
前記係合ロック機構を解除して、プラグ体を液体コンセントから引き抜く方向へ移動させると、プラグ筒及び接続筒内の弁体がプラグばね及びコンセントばねの付勢力によって閉弁されると同時に、切口部の周囲がプラグ筒の胴部に密着しながら引き抜き方向に弾性的に撓んでいき、プラグ筒が切口部から離反した時点で、膜体は元の形状に弾性復帰する。
プラグ筒を接続筒から引き抜き方向に移動させると、プラグ筒に外嵌させたシール部材によって接続筒の開放端近傍は一時的に負圧状態となると共に、プラグ筒を引き抜いて負圧状態が解除されたとき、接続筒の先端側に残存していた循環水がプラグ筒の開放端近傍から飛散するが、接続筒が収容されている開口の開放端には膜体が張設されているため、この膜体が障壁となって、循環水が室内側へ飛散するのを防止する。
【００１４】
また、前記接続筒の開放端と前記膜体との間の前記コンセント本体の開口に、通気口および循環水の排水口を外部に連通するように設けたから、プラグ筒の引き抜き時において、膜体がプラグ筒のシール部材に接して負圧となった接続筒内の空間が通気口によって外部と連通するので、負圧が解消され、循環水は室内側に飛散することはなく、またわずかに残った循環水は排水口を通って、循環水受けに導かれる。
【００１５】
上記流路接続装置において、『前記切口部は、前記プラグ筒の胴部の外径よりも小径な貫通孔である』ものでは、プラグ筒は、貫通孔を拡径させると同時にその周囲を接続方向に撓むように弾性変形させながら接続筒内に挿入されていき、また、プラグ筒を引き抜き方向に移動させると、貫通孔の周囲が引き抜き方向に撓むように弾性変形し、プラグ体が液体コンセントから取り外されると同時に、膜体は、中央にプラグの胴部よりも小径な貫通孔が開口する元の形状に弾性復帰する。このものでは、貫通孔の周囲に形成される環状部分が循環水の室内への飛散を防止する障壁となる。
【００１６】
また、『前記切口部は、前記プラグ筒の外径に略一致する長さのスリットである』ものでは、プラグ筒は、スリットの両側を接続方向に撓むように弾性的に開きながら接続筒内に挿入されていき、プラグ筒を引き抜き方向に移動させると、スリットの両側は引き抜き方向に撓むと共に、プラグ体が液体コンセントから取り外されると同時に、スリットは閉じられるから、開口の全域が膜体によって閉塞される態様となる。
【００１７】
また、上記流路接続装置は、『閉弁状態にある前記プラグ弁の先端面は、前記プラグ筒の開放端面と同一面に位置するように設定されている』ものでは、接続筒からプラグ筒を引き抜くと、閉弁状態にあるプラグ弁の先端は、プラグ筒の開放端面に面一になるように設定されているから、プラグ筒の開放端には循環水が残存することはない。
【００１８】
また、上記流路接続装置のうち、『前記膜体は、前記開放端に取り外し自在に装着されている』ものでは、膜体が破損した場合、コンセント本体から取り外して交換することができる。
【発明の効果】
【００１９】
本発明によれば、プラグ体を液体コンセントから勢いよく引き抜いて、閉弁状態にある弁体の外側の空間に残存する循環水が開口の開放端側に飛び散っても、前記開放端に張設させた膜体が障壁となって、循環水の室内への飛散を防止することができるから、飛散した循環水で室内が汚れることがない。
【００２０】
また、プラグ筒は、膜体に設けた切口部の構成端辺がプラグ筒の胴部に弾性的に密着する状態で挿通可能としたから、プラグ筒の挿入時及び引き抜き時にて、プラグ筒の胴部外周やシール部材に付着する異物等を切口部の構成端辺で拭い取って除去することができる。
また、膜体に設けた切口部の中心をコンセント本体の開口の中心に一致させてあるから、切口部を目印にプラグ筒を接続筒に正しく且つ容易に装着することができる。
前記接続筒の開放端と前記膜体との間の前記コンセント本体の開口に通気口および循環水の排水口を設けたものでは、プラグ筒を取り外した際に残留する循環水を排水口を通じて循環水受けに導くことができるので、コンセント本体接続筒に循環水が残留せず、接続筒部を常に乾いた状態にしておくことができる。
特に、切口部を小径の貫通孔としたものでは、プラグ筒の挿入および取り外しにおいて、膜体がプラグ筒外周全体に密着するので、シール部材の除塵効果や循環水の水切れが一段とよくなる。
【００２１】
なお、切口部をスリットとしたものでは、プラグ筒を引き抜いた状態にて、コンセント本体の開口は膜体で全域に渡って閉塞されるから、循環水の室内への飛散を確実に遮断することができる。
さらに、閉塞状態のプラグ弁の先端を、プラグ筒の開放端と同一面上に位置させて、プラグ筒内に循環水を残存しないようにしたものでは、閉弁されたプラグ弁の先端とコンセント弁の先端との間の空間に溜まる循環水の残存量を最小限に抑えることができ、また、プラグ体を抜き取った際に、プラグ筒の先端から循環水が漏れ落ちることもない。
さらに、膜体はコンセント本体の正面の開口の開放端部に取り外し自在に設けたものでは、プラグ筒の脱着により、膜体の切口部が破損しても容易に交換することが可能となる。
【図面の簡単な説明】
【００２２】
【図１】本発明の実施の形態の流路接続装置の液体コンセントとプラグ体の接続前の様子を示す断面図である。
【図２】本発明の実施の形態の流路接続装置の液体コンセントの分解斜視図である。
【図３】本発明の実施の形態の流路接続装置の液体コンセントの接続筒にプラグ体のプラグ筒を接続させる途中を示す要部拡大断面図である。
【図４】本発明の実施の形態の流路接続装置の液体コンセントとプラグ体の接続完了状態を示す断面図である。
【図５】本発明の実施の形態の流路接続装置の液体コンセントの接続筒からプラグ体のプラグ筒を取り外す途中を示す要部拡大断面図である。
【図６】図５の状態から、さらに、プラグ体を引き抜いた様子を示す要部拡大断面図である。
【図７】本発明の他の実施の形態の流路接続装置に採用する膜体の説明図である。
【図８】従来の流路接続装置の液体コンセントとプラグ体の斜視図である。
【発明を実施するための形態】
【００２３】
以下に、本発明を実施するための形態について添付図面を参照しながら説明する。
以下、本願発明の実施の形態を、図面に基づいて説明する。図１は、本願発明の実施の形態における液体コンセント(1)にプラグ体(2)が接続される前の接続筒(11)とプラグ筒(21)を示す断面図であり、図２は、液体コンセント(1)の分解斜視図である。
【００２４】
まず、液体コンセント(1)について説明する。
液体コンセント(1) は、図１及び図２に示すように、室内の壁面(W)に設置されており、温水循環路接続の為の一対の接続筒(11)(11)が備えられたコンセント本体(3)と、コンセント本体(3)を壁面(W)に取り付ける取付部材(31)と、コンセント本体(3)及び取付部材(31)を正面側から被覆する化粧プレート(100)とを具備している。
化粧プレート(100)には、図２に示すように、後述するプラグ体(2)の包囲筒(20)を挿入させる為の横長長円形のガイド筒部(10)が正面に開放しており、ガイド筒部(10)内に横長長円形の正面側端面を有するコンセント本体(3)が収容されている。コンセント本体(3)には、一対の開口(30)(30)が水平方向に並んで形成されており、各開口(30)内のやや奥まった位置には、後述するプラグ体(2)のプラグ筒(21)が接続可能な接続筒(11)がそれぞれ収容されている。各接続筒(11)には、図１に示すように、加熱機からの往路及び復路となる一対の温水配管(4)(4)が各別に接続されている。
また、各接続筒(11)の内方には、コンセント弁(16)、弁シート(17)、及びコンセント弁(16)を弁シート(17)に圧着させて接続筒(11)を閉弁方向に付勢するコンセントばね(18)が内蔵されている。
【００２５】
コンセント本体(3)の正面側端面には、それと同じ横長長円形の弾性材料からなる膜体(33)が被覆される。膜体(33)における、コンセント本体(3)の開口(30)(30)に対応する各位置には、後述するプラグ体(2)のプラグ筒(21)の胴部の外径よりも小径な貫通孔(34)(34)がそれぞれ形成されている。この貫通孔(34)が発明特定事項としての切口部に対応する。
そして、膜体(33)の正面側には膜体(33)と同形同大の取付板(35)が添設され、取付板(35)の膜体(33)の貫通孔(34)(34)に対応する各位置には、プラグ筒(21)がゆとりを持って挿通できる大きさの貫通孔(36)(36)が形成されている。
【００２６】
コンセント本体(3)の正面側端面に膜体(33)を添設させ、さらに膜体(33)に取付板(35)を添設させ、取付板(35)及び膜体(33)の中央にそれぞれ形成されているネジ貫通孔(35a)(33a)にネジ(32)を挿通させると共に、コンセント本体(3)の正面側端面中央に形成されているネジ孔(3a)に捻じ込むことにより、膜体(33)は、コンセント本体(3)の正面側端面に、取付板(35)によって取り付けられ、開口(30)(30)と貫通孔(34)(34)と貫通孔(36)(36)は同心状に位置することとなる。
なお、コンセント本体(3)の正面側端部近傍に上方に開放する通気口(37)を設け、正面側端部下側には通気口(37)より大きい排水口(13)を設け、排水口(13)の下方に循環水受け(14)を設ける構造とすることができる。
【００２７】
次に、プラグ体(2) について説明する。
プラグ体(2)は、図１に示すように、温水暖房機等の放熱器に接続されている一対の温水ホース(40)(40)を被覆する本体部(20a)と、本体部(20a)から直角方向に突出する包囲筒(20)とから、略Ｌ字状に形成された合成樹脂製のケーシング(200)を備えている。
【００２８】
包囲筒(20)は、液体コンセント(1)の化粧プレート(100)に開口させたガイド筒部(10)内にちょうど挿入可能な大きさ形状の筒体であり、包囲筒(20)内には保持体(23)が収容されている。保持体(23)には、上記した接続筒(11)(11)に着脱自在に接続される一対のプラグ筒(21)(21)が相互に平行に保持されていると共にプラグ筒(21)の先端側部分が保持体(23)から突出している。プラグ筒(21)の先端近傍の外周面には、シール部材としての２つのＯリング(22a)(22b)が前後に位置するように装着されている。これらＯリング(22a)(22b)は、プラグ筒(21)(21)が接続筒(11)(11)に挿入接続された状態にて接続筒(11)の内周面とプラグ筒(21)との間を水密状態に維持する。
【００２９】
又、プラグ筒(21)内には、プラグ弁(26)、弁シート(27)、プラグ弁(26)を弁シート(27)に圧着させてプラグ筒(21)を閉弁方向に付勢するプラグばね(28)が内蔵されており、プラグ筒(21)の基端側部分は、上記した加熱機からの一対の温水ホース(40)(40)が各別に連通接続されている。
なお、プラグ弁(26)は、弁シート(27)へ付勢された閉弁状態にて、その先端面が、プラグ筒(21)の開放端面と同一面に位置するように設定されている。
また、図示しないが、液体コンセント(1)とプラグ体(2)には、相互に係合し合って両者の接続を保持する係合ロック機構と、この係合を解除するための解除機構が備えられている。
【００３０】
温水循環路の接続及び接続解除について説明する。
プラグ体(2)を液体コンセント(1)に接続するには、プラグ体(2)の包囲筒(20)を液体コンセント(1)のガイド筒部(10)に挿入する。すると、プラグ体(2)のプラグ筒(21)と、取付板(35)の貫通孔(36)と、膜体(33)の貫通孔(34)と、コンセント本体(3)の開口(30)と、接続筒(11)が順に同心状に位置することとなり、その状態で、プラグ体(2)の包囲筒(20)をガイド筒部ガイド筒部(10)に押し込んでいくと、プラグ筒(21)の先端が、取付板(35)の貫通孔(36)、膜体(33)の貫通孔(34)を介して、接続筒(11)内に挿入されていく。
【００３１】
膜体(33)の貫通孔(34)はプラグ筒(21)の胴部外径よりも小径に形成されているため、プラグ筒(21)の先端は膜体(33)を通過する際、図３に示すように、貫通孔(34)の周辺部を押して開口(30)の奥側に撓む方向へ弾性変形させ、さらに、プラグ筒(21)を接続筒(11)内へ挿入させていくと、図４に示すように、膜体(33)の貫通孔(34)は拡径すると共に、貫通孔(34)の周辺部がプラグ筒(21)の胴部に弾性的に密着する態様となる。
図４の状態が、プラグ体(2)の包囲筒(20)の液体コンセント(1)のガイド筒部(10)への接続完了状態であり、コンセント弁(16)及びプラグ弁(26)が、コンセントばね(18)及びプラグばね(28)の付勢力に抗して開弁し、加熱機と放熱機との間の温水循環路が接続される。
この状態では、プラグ体(2)は上記した係合ロック機構によりロックされた状態で保持されている。
【００３２】
その後、プラグ体(2)を液体コンセント(1)から取り外すには、前記係合ロック機構による係合を解除機構により解除した後、プラグ体(2)のケーシング(200)を室内側に引っ張る。
プラグ体(2)が取り外し方向に移動させられるにつれて、プラグ筒(21)の胴部外周に密着している膜体(33)の貫通孔(34)の周辺部は、図４の状態から、図５に示すように、プラグ筒(21)の移動方向に弾性的に撓んでいき、プラグ筒(21)の先端面が(3)の開口(30)から完全に引き出すと、図６に示すように、膜体(33)は、貫通孔(34)の周縁がプラグ筒(21)の先端面に密着した後、同図の二点鎖線に示すように、元の状態（図１の状態）に弾性復帰する。
【００３３】
図５、図６に示すように、プラグ体(2)を引き抜き方向に移動させると、接続筒(11)のコンセント弁(16)はコンセントばね(18)によって弁シート(17)に圧着して閉弁状態となると同時に、プラグ筒(21)のプラグ弁(26)は(28)によって弁シート(27)に圧着して閉弁状態となり、閉弁状態にあるこれらコンセント弁(16)とプラグ弁(26)との先端相互間の空間(15)には、接続筒(11)から漏れ出た循環水が残存することとなる。
なお、プラグ弁(26)は閉弁状態にてその先端面がプラグ筒(21)の先端面と同一面となるように構成されているから、プラグ筒(21)の先端に循環水が残存することはない。
【００３４】
接続状態においてはプラグ筒(21)のＯリング(22a)(22b)は接続筒(11)の内周面に密着すると共に、プラグ筒(21)を接続筒(11)から引き抜き方向に移動させてコンセント弁(16)及びプラグ弁(26)を閉弁させた後もＯリング(22a)(22b)には膜体(33)の貫通孔(34)の周辺部が弾性的に密着することにより、接続筒(11)内は気密状態に保持されるから、プラグ筒(21)を接続筒(11)から引き抜き方向に移動させるに従って空間(15)内は負圧状態となり、その状態から、プラグ体(2)をさらに引き抜き方向に移動させて、プラグ筒(21)をコンセント本体(3)の開口(30)から勢いよく引き抜くと、前記負圧状態が急激に解消されるため、空間(15)内に残存していた循環水が外方へ飛散する。
このとき、コンセント本体(3)の開口(30)の開放端には、膜体(33)が弾性復帰した状態で添設されているから、空間(15)内に残存する循環水が外方に飛散しても、膜体(33)の貫通孔(34)の周辺範囲が障壁となって、循環水は膜体(33)で堰き止められ、室内へ飛散することはない。
なお、コンセント本体(3)の正面側端部近傍に上方に開放するように通気口(37)を設け、正面側端部下側には通気口(37)より大きい排水口(13)を設け、排水口(13)の下方に循環水受け(14)を設ける構造としたものでは、プラグ体(2)を引き抜き、図５の状態となったときには、空間(15)の負圧は解消され、この部分に残留した循環水は排水口(13)を通して循環水受け(14)に導かれる。よって、プラグ体(2)を図６の状態から取り外す際には、空間(15)の負圧は解消されているとともに、残留する循環水は排水口(13)から循環水受け(14)へと導かれるので、循環水が室内側に飛散することはない。
【００３５】
上記実施の形態では膜体(33)にはプラグ筒(21)の胴部の外径よりも小径な貫通孔(34)を形成したが、貫通孔(34)に代えて、図７に示すように、スリット(24)を形成してもよい。スリット(24)の長さをプラグ筒(21)の胴部の外径に略一致させておき、プラグ筒(21)でスリット(24)を押すと、スリット(24)はプラグ筒(21)の先端で押されて開く方向へ弾性変形し、その両側部分をプラグ筒(21)の胴部の外周に弾性的に密着させながら、プラグ筒(21)は接続筒(11)内に挿入していくこととなる。
このものでは、プラグ筒(21)を引き抜いたとき、コンセント本体(3)の開口(30)の開放端は全域に渡って膜体(33)で閉塞される態様となるから、プラグ体(2)を液体コンセント(1)から勢い良く引き抜いても、引き抜き速度に係らず、空間(15)に残存する循環水の飛散を膜体(33)で確実に堰き止めることができる。
【００３６】
なお、膜体(33)に形成する貫通孔(34)又はスリット(24)の周辺部分は、プラグ筒(21)の胴部に弾性的に密着する状態で、プラグ筒(21)を接続方向又は引き抜き方向に挿通可能となっているから、プラグ筒(21)の接続時及び引き抜き時に、プラグ筒(21)の胴部外周やＯリング(20a)(20b)に付着している異物等を貫通孔(34)の周辺部又はスリット(24)の両辺部で拭い取って除去することができる。
【００３７】
さらに、膜体(33)は液体コンセント(1)の化粧プレート(100)から室内に露出しているコンセント本体(3)の正面側端面にネジ止めにより取り付けられているから、膜体(33)の貫通孔(34)やスリット(24)が破損しても、ネジ(32)を取り外して、容易に交換することができる。
【符号の説明】
【００３８】
(1) ・・・・・・・・・液体コンセント
(10)・・・・・・・・・ガイド筒部
(11)・・・・・・・・・接続筒
(16)・・・・・・・・・コンセント弁
(18)・・・・・・・・・コンセントばね
(2) ・・・・・・・・・プラグ体
(21)・・・・・・・・・プラグ筒
(22a)(22b)・・・・・・Ｏリング（シール部材）
(26)・・・・・・・・・プラグ弁
(28)・・・・・・・・・プラグばね
(3) ・・・・・・・・・コンセント本体
(30)・・・・・・・・・開口
(33)・・・・・・・・・膜体
(34)・・・・・・・・・貫通孔（切口部）
【図１】
0006456067.tif 000002
【図２】
0006456067.tif 000003
【図３】
0006456067.tif 000004
【図４】
0006456067.tif 000005
【図５】
0006456067.tif 000006
【図６】
0006456067.tif 000007
【図７】
0006456067.tif 000008
【図８】
0006456067.tif 000009